(57)【要約】【課題】器具本体を小型化しても外筒に設けた点火プラグやフレームロッドが高温になるのを防止できる温風暖房機を提供する。【解決手段】バーナ部２３の上部に下端が接続された縦長の外筒２４と、該外筒２４に並設された熱交換器２６と、前記外筒２４の上端と前記熱交換器２６の上端とが接続された排気室２５と、前記温風暖房機本体１内に設けられ、上部遮熱板３３と、左遮熱板３４と、右遮熱板とを有し、前記外筒２４と排気室と熱交換器２６とを内部に配置する燃焼室と、前記背面板に設けた対流ファンとを備え、前記外筒２４に近接する左遮熱板又は右遮熱板３５に送風案内板４７を設けたので、対流ファン３１から左遮熱板３４又は右遮熱板３５寄りに流れる空気が、送風案内板４７に当たって外筒２４方向に案内されて外筒２４が充分冷却され、外筒２４に設けた電極組み４３が高温になるのを防止できるものである。【選択図】図２
2019158279.tif 000002
【特許請求の範囲】
【請求項１】
下皿と、前面略中央に温風を吹き出す吹き出し口を設けた前面パネルと、右側面板と、左側面板と、天板と、背面板とからなる温風暖房機本体と、燃料と燃焼用空気の供給を受けて燃焼するバーナ部と、該バーナ部の上部に下端が接続され、前記バーナ部の燃焼ガスを排気ガスとして導く縦長の外筒と、該外筒に並設され、前記外筒からの燃焼ガスを流通させ外周を流通する送風と熱交換させる熱交換器と、前記外筒の上端と前記熱交換器の上端とが接続され外筒内を通過した排気ガスを前記熱交換内器に送る排気室と、前記温風暖房機本体内に設けられ、上部遮熱板と、左遮熱板と、右遮熱板とを有し、前記外筒と排気室と熱交換器とを内部に配置する燃焼室と、前記背面板に設けられ、前記熱交換器及び外筒外周に室内空気を送風する対流ファンとを備えた温風暖房機に於いて、前記外筒に近接する左遮熱板又は右遮熱板に送風案内板を設けたことを特徴とする温風暖房機。
【請求項２】
前記外筒下部に点火プラグと着火を検知するフレームロッドとを備えた電極組みを設け、    前記送風案内板は、上方が背面板に近づくように傾斜して設けると共に、前記送風案内板の下端は電極組みの近傍に位置するように設けられていることを特徴とする請求項１記載の温風暖房機。
【請求項３】
前記燃焼室には対流ファンから送風される空気が通過する通気口が上部に形成された背面遮熱板が設けられ、該背面遮熱板の下部に電極組み用通風口を形成したことを特徴とする請求項２記載の温風暖房機。
【発明の詳細な説明】
【技術分野】
【０００１】
本発明は、石油等の燃料の燃焼による排気ガスと室内空気とを熱交換して暖房を行う温風暖房機に関するものである。
【背景技術】
【０００２】
従来この種のものでは、室外の空気を燃焼部に給気すると共に燃焼部に燃料を供給して燃焼させ、その燃焼ガスを燃焼部を有する燃焼筒を通過させて燃焼筒に接続されている熱交換器に供給した後、排気ガスとして室外に排気し、その熱交換器には対流ファンにより室内の空気を送気して、内部を通過する燃焼ガスにより高温となった熱交換器と送気された室内の空気とが熱交換されて、送気された室内の空気が温風となって室内の暖房を行うものがあった。
【０００３】
その燃焼部を有する燃焼筒と熱交換器の配置としては、燃焼筒を垂直方向に長く配置してその横に熱交換器を垂直方向に長く配置したものがある。（例えば、特許文献１）
又、更に熱交換器の熱交換効率を高める為に複数の偏平箱形の熱交換器を短辺側が前後方向となるように並設して構成されたものがある。（例えば、特許文献２）
【先行技術文献】
【特許文献】
【０００４】
【特許文献１】特公平０４−１６６９１号公報
【特許文献２】特開平０８−２４７５５２号公報
【発明の概要】
【発明が解決しようとする課題】
【０００５】
ところで、この従来のものは、器具本体を小型化しようとすると、燃焼部と本体との間隔が狭くなって熱がこもりやすくなり、更に器具本体を小型化するために器具を冷却する対流ファンも小型化し、それにより器具内を通過する風量が減少するため、燃焼筒に当たる風量が減少して燃焼ガスの排気温度が高温となり、又、燃焼筒に設けた着火用電極と着火を検知するフレームロッドからなる電極組も当たる風量が減少し、燃焼ガスの排気温度が高温となることと電極組に当たる風量が減少することで電極組が高温となってしまうという課題があった。
【課題を解決するための手段】
【０００６】
本発明は上記課題を解決するために、請求項１では、下皿と、前面略中央に温風を吹き出す吹き出し口を設けた前面パネルと、右側面板と、左側面板と、天板と、背面板とからなる温風暖房機本体と、燃料と燃焼用空気の供給を受けて燃焼するバーナ部と、該バーナ部の上部に下端が接続され、前記バーナ部の燃焼ガスを排気ガスとして導く縦長の外筒と、該外筒に並設され、前記外筒からの燃焼ガスを流通させ外周を流通する送風と熱交換させる熱交換器と、前記外筒の上端と前記熱交換器の上端とが接続され外筒内を通過した排気ガスを前記熱交換内器に送る排気室と、前記温風暖房機本体内に設けられ、上部遮熱板と、左遮熱板と、右遮熱板とを有し、前記外筒と排気室と熱交換器とを内部に配置する燃焼室と、前記背面板に設けられ、前記熱交換器及び外筒外周に室内空気を送風する対流ファンとを備えた温風暖房機に於いて、前記外筒に近接する左遮熱板又は右遮熱板に送風案内板を設けたものである。
【０００７】
また、請求項２では、前記外筒下部に点火プラグと着火を検知するフレームロッドとを備えた電極組みを設け、前記送風案内板は、上方が背面板に近づくように傾斜して設けると共に、前記送風案内板の下端は電極組みの近傍に位置するように設けたものである。
【０００８】
また、請求項３では、前記燃焼室には対流ファンから送風される空気が通過する通気口が上部に形成された背面遮熱板が設けられ、該背面遮熱板の下部に電極組み用通風口を形成したものである。
【発明の効果】
【０００９】
この発明の請求項１によれば、バーナ部の燃焼ガスを排気ガスとして導く縦長の外筒に近接する左遮熱板又は右遮熱板に送風案内板を設けたので、対流ファンから左遮熱板又は右遮熱板寄りに流れる空気が、送風案内板に当たって外筒方向に案内されて外筒に向かって流れ、それにより外筒が充分冷却されて燃焼ガスの排気温度が高温になるのを防止できるものである。
【００１０】
また、請求項２によれば、前記外筒下部に点火プラグと着火を検知するフレームロッドとを備えた電極組みを設け、前記送風案内板は、上方が背面板に近づくように傾斜して設けると共に、前記送風案内板の下端は電極組みの近傍に位置するように設けたので、対流ファンから左遮熱板又は右遮熱板寄りに流れる空気が、送風案内板に当たって外筒方向に案内されて外筒に向かって流れ、それにより外筒が充分冷却されることで、外筒内に先端が位置している電極組みの点火プラグと着火を検知するフレームロッドが高温になるのを防止できるものである。
【００１１】
又、送風案内板に当たった空気の一部は、送風案内板の案内部の傾斜に沿って下降して電極組みに当たることで電極組みを冷却し、それにより電極組みの点火プラグと着火を検知するフレームロッドが高温になるのをより防止できるものである。
【００１２】
また、請求項３によれば、前記燃焼室には対流ファンから送風される空気が通過する通気口が上部に形成された背面遮熱板が設けられ、該背面遮熱板の下部に電極組み用通風口を形成したので、対流ファンからの送風が、電極組み用通風口を通過して、直進すると外筒の電極組みに当たり、それにより更に電極組みを冷却できるものである。
【図面の簡単な説明】
【００１３】
【図１】本発明の一実施形態を示す温風暖房機の正面図。
【図２】同前パネルを外した状態の正面図。
【図３】同背面図。
【図４】同背面板を外した状態の背面図。
【図５】同燃焼室の内部を示した要部断面図。
【図６】同側面通風口を示した要部断面図。
【発明を実施するための形態】
【００１４】
次にこの発明に係る温風暖房機を図面に示す一実施例で説明する。
１は温風暖房機本体で、前面略中央に温風を吹き出す吹き出し口２を設けると共に、前面上部に運転スイッチ３や温度設定スイッチ４等の複数のボタンと温度や時間を表示する表示部５とが一体となった操作・表示ユニット６が設けられ、又背面には屋外の空気を温風暖房機に給気するための給気部（図示せず）と温風暖房機の排気ガスを屋外に排気するための排気部（図示せず）とからなる給排気筒（図示せず）を接続する排気管７と、給気管８が設けられているもので、下皿９と、前面略中央に温風を吹き出す吹き出し口２を設けある前面パネル１０と、右側面板１１と、左側面板１２と、天板１３と、背面板１４とから構成されているものである。
【００１５】
１５は燃料供給部で、前記右側面板１１と、前記背面板１４と、略Ｌ字状の燃料供給部遮熱板１６とで形成され、下方には屋外等に設置されているメインタンク（図示せず）から供給される燃油を所定量貯油するレベラータンク１７と、該レベラータンク１７の上部にレベラータンク１７内の燃油を送油する燃料供給手段である燃料ポンプ１８と、メインタンクからの燃油をレベラータンク１７に汲み上げる汲み上げポンプ１９とが設けられると共に、前記燃料供給部遮熱板１６の正面部分にはプリント基板からなる制御部２０が取り付けられているものである。
【００１６】
本実施例では燃料供給部１５内の空間には特に部品等が配置されていないが、メインタンクではなく、温風暖房機本体１に着脱自在なカートリッジ式タンク（図示せず）にて燃油が供給される機種では、この燃料供給部１５内の空間にカートリッジ式タンクが収納され、レベラータンク１７の換わりにカートリッジ式タンク内の燃油を所定量貯油する油受け皿（図示せず）が配置されるもので、機種が異なっても同じ温風暖房機本体１が使用できるように設計されているものである。
【００１７】
２１は燃焼部で、燃料ポンプ１８から送られてきた灯油と燃焼用送風機２２から送られてくる燃焼用空気とにより燃焼をするバーナ部２３と、該バーナ部２３の上部に一端が接続され、燃焼ガスを排気ガスとして導く外筒２４とからなるものである。
【００１８】
２５は箱状の排気室で、右側に外筒２４の他端が取り付けられ、内部には外筒２４から流入する排気ガスを迂回させて通過させるための仕切板（図示せず）を設けたものである。
【００１９】
２６は熱交換器で、排気室２５の左側に設けられ、３個の偏平箱形の熱交換部２７の各熱交換部２７の一端が排気室２５に接続されると共に、熱交換部２７の短辺側が前後方向となるように並設して設けられ、更に各熱交換部２７は前側が後側よりも外筒２４から離れるように斜めに設けられており、本実施例では約１５度の角度で斜めに設けられているものである。
【００２０】
又この各熱交換部２７には、両長辺側からの凹ましを内方中央で当接させて形成した複数の凹部２８を千鳥足状に配列し、内方に複数の蛇行路（図示せず）を形成しているものである。
【００２１】
２９は熱交換部２７の下部に備えられ各熱交換部２７流通後の排気ガスを再び集合させる排気集合室で、内方には各熱交換部２７からの排気ガスが衝突する１枚板から成る整流板（図示せず）が備えられ、底部には屋外と連通している給排気筒の排気部と接続され、熱交換部２７内を通過した排気ガスを排気部に案内する排気口３０が設けられている。
【００２２】
３１は温風暖房機本体１の背面に設けられた対流ファンで、室内空気を吸引しこれを外筒１９及び熱交換器２６に向かって送風して排気ガスと熱交換させて温風とし、吹き出し口２から吹き出して室内を温風暖房するもので、温風暖房機本体１正面からみて時計回りに回転するものである。
【００２３】
３２は燃焼室で、上部遮熱板３３と、左遮熱板３４と、右遮熱板３５と、対流ファン３１から送風される空気が通過する通気口３６が上部に形成された背面遮熱板３７と、固定板３８とにより形成され、バーナ部２３が固定板３８に取り付けられて外筒２４が燃焼室３２内に配置されると共に、排気室２５が上部遮熱板３３に取り付けられて排気室２５と熱交換器２６と排気集合室２９とが燃焼室３２内に配置されるものである。
【００２４】
前記上部遮熱板２８には、上面通風口３９が形成されており、開口されている位置は対流ファン３１と熱交換部２７との間で、一端が外筒２４の熱交換部２７側とほぼ同じ位置で他端が熱交換部２７の側面板側とほぼ同じ位置に形成され、温風暖房機本体１の幅方向に長い略長方形状に形成されているもので、つまりは上部遮熱板２８の熱交換器２６の位置の風上側で前記熱交換器２６と略同じ幅に開口されているものである。
【００２５】
又、前記上面通風口３９の下面側には風向板４０が形成されており、その先端が本体前面から背面に向かって下方向に斜めに設けられていると共に、その先端部分は略垂直に曲げられた曲げ部４１が形成されている。
前記曲げ部４１の先端は、排気室２５の厚みの半分位の高さに位置しており、対流ファン３１からの送風の一部を上面通風口３９に案内し、残りの送風を排気室２５に当たるようにして、排気室２５で風向板４０が位置する部分が高温になるのを防止しているものである。
【００２６】
又、前記左遮熱板３４には、側面通風口４２が縦長の略長方形状に形成されており、開口されている位置は対流ファン３１と熱交換部２７との間で、開口部分の上端が対流ファン３１の上端よりやや低く、下端も対流ファン３１の下端よりやや低く、又、開口部分の奥行き方向は一端が対流ファン３１の前端よりやや背面板１４よりに位置し、他端が対流ファン３１の前端と排気室２５の背面側との間に位置するように形成されているもので、つまりは熱交換器２６に近接する側面の遮熱板である左遮熱板３４の風上側で対流ファン３１とほぼ同じ高さでほぼ対流ファン３１の直径と同じ長さに開口されているものである。
【００２７】
４３は電極組みで、着火させるための点火プラグ４４と、着火を検知するフレームロッド４５とを備え、外筒２４の下部で、外筒２４の真正面の位置よりも熱交換器２６から離れる方向にやや斜めの位置に設けられ、外筒２４内で気化した灯油と燃焼用空気が混合された混合気を点火プラグ４４にて着火し、着火をフレームロッド４５にて検知するものである。
【００２８】
４６は背面遮熱板３７の下部に形成された電極組み用通風口で、電極組み４３と略同じ高さに形成され、開口部分の高さは電極組み４３の高さ寸法と略同じに形成されているもので、対流ファン３１からの送風が、電極組み用通風口４６を通過して、外筒２４の電極組み４３に当たるものである。
【００２９】
４７は外筒２４と燃料供給部遮熱板１６との間に位置する遮熱板、本実施例では右遮熱板３５に設けられた送風案内板で、右遮熱板３５に取り付けられる取付部４８と、対流ファン３１からの送風を案内する案内部４９とからなるものである。
【００３０】
又、前記案内部４９は、取付部４８に対して約４５度立ち上がっていて、送風案内板４７は略くの字状に形成されており、上方が背面板１４に近づくように傾斜して右遮熱板３５に設けられ、送風案内板４７の上端は排気室２５の下端と隙間を形成するように位置し、下端は電極組み４３の上端と略同じ高さになるように設けられ、送風案内板４７の下端が電極組み４３の上端付近に位置するように設けられている。
【００３１】
又、前記送風案内板４７の傾斜は、上方が外筒２４の背面側とほぼ同じ位置で、下方が外筒２４の正面側とほぼ同じ位置になるように傾斜しており、又、外筒２４と案内部４９と先端との間の間隔は、外筒２４と右遮熱板３５との間の間隔の略三分の一になるように設けられているものである。
【００３２】
次に本発明一実施例の動作について説明する。
まずバーナ部２３に内蔵されているヒータ（図示せず）に通電してバーナ部２３が所定の温度に上昇すると、燃料供給手段である燃料ポンプ１８から灯油がバーナ部２３に送られて気化し、又バーナ部２３に燃焼用送風機２２から燃焼用空気が送られ、気化した灯油と燃焼用空気が混合され、電極組み４３の点火プラグ４４により着火されて燃焼を開始する。
【００３３】
燃焼ガスは排気ガスとしてバーナ部２３から外筒２４内を通過して上昇し、排気室２５内の遮熱板に案内されて排気室２５内を迂回して通過し、熱交換器２６の各熱交換部２７に流入して内部を通過し、排気集合室２９から排気口３０を通過して給排気筒の排気部へと流れて屋外に排気されていくものである。
【００３４】
又バーナ部２３で燃焼が開始されると温風暖房機本体１の背面に設けられた対流ファン３１が駆動されて、室内の空気を温風暖房機本体１内に給気し、その給気された室内の空気は、対流ファン３１から前方に送風され、外筒２４及び熱交換器２６の各熱交換部２７の外周を通過して熱交換して加熱された後、温風暖房機本体１前面の吹き出し口２から室内に温風として吹き出すものである。
【００３５】
ここで燃焼室３２内の空気の流れを説明すると、正面から向かって外筒２４の右側と右遮熱板２４との間を通過する空気のうち、外筒２４の横を通過する空気は、外筒２４の外周部分に沿って流れるために吹き出し口２に向かって真っ直ぐに流れずに外筒２４の横から中心に向かって引っぱられるように流れ、右遮熱板３５寄りに流れる空気は、送風案内板４７の案内部４９に当たって外筒２４方向に案内されて外筒２４に向かって流れる。
【００３６】
又、送風案内板４７は上方が外筒２４の背面側とほぼ同じ位置で、下方が外筒２４の正面側とほぼ同じ位置になるように傾斜しているので、送風案内板４７の案内部４９に当たった空気の一部は、送風案内板４７の案内部４９の傾斜に沿って下降して電極組み４３に当たり、電極組み４３を冷却できるものである。
【００３７】
又、背面遮熱板３７に電極組み用通風口４６を電極組み４３と略同じ高さに形成し、更に開口部分の高さは電極組み４３の高さ寸法と略同じに形成したので、対流ファン３１からの送風が、電極組み用通風口４６を通過して、直進すると外筒２４の電極組み４３に当たり、より電極組み４３を冷却できるものである。
【００３８】
又、電極組み４３は、外筒２４の真正面の位置よりも熱交換器２６から離れる方向にやや斜めの位置、つまり外筒２４の右側と右遮熱板２４との間に向かって斜めに設けられているので、背面遮熱板３７に形成された電極組み用通風口４６を通過した空気は、直進するとその電極組み４３に充分当たり、更に電極組み４３を冷却できるものである。
【００３９】
そして、外筒２４の右側と右遮熱板３５との間隔は広くなく、吹き出し口２も右遮熱板３５の前方までで右遮熱板３５より右側には吹き出し口２は設けられていないので、外筒２４の右側と右遮熱板３５との間を通過する空気が外筒２４方向寄りに向かって流れても温風の吹き出しにはさほど影響がなく、又、正面から向かって外筒２４の左側を通過する空気も、外筒２４の外周部分に沿って流れるために吹き出し口２に向かって真っ直ぐに流れずに外筒２４の横から中心に向かって引っぱられるように流れ、その結果、外筒２４の右側に沿って流れる空気と外筒２４の左側に沿って流れる空気とが衝突して吹き出し口２から真っ直ぐに吹き出すものである。
【００４０】
又、正面から向かって外筒２４の左側と熱交換器２６の右端の熱交換部２７との間を通過する空気は、外筒２４の横を通過する空気は、外筒２４の外周部分に沿って流れるために吹き出し口２に向かって真っ直ぐに流れずに外筒２４の横から中心に向かって引っぱられるように流れ、熱交換器２６の右端の熱交換部２７寄りに流れる空気は熱交換部２７が前側が後側よりも外筒２４から離れるように斜めに設けられているために、熱交換部２７に沿って流れている時は外筒２４から離れる方向に流れているが、熱交換部２７を通過した時に外筒２４の中心に向かって引っぱられるので、結果として真っ直ぐになって吹き出し口２から吹き出すものである。
【００４１】
又、熱交換器２６の熱交換部２７同士の間を通過する空気は、熱交換部２７が前側が後側よりも外筒２４から離れるように斜めに設けられているために、熱交換部２７に沿って流れている時は外筒２４から離れる方向に流れているが、熱交換部２７を通過した時に外筒２４の中心に向かって引っぱられるので、結果として真っ直ぐになって吹き出し口２から吹き出すものである。
【００４２】
又、正面から向かって熱交換器２６の左端の熱交換部２７と左遮熱板３４との間を通過する空気は、熱交換器２６の左端の熱交換部２７寄りに流れる空気は熱交換部２７が前側が後側よりも外筒２４から離れるように斜めに設けられているために、熱交換部２７に沿って流れている時は外筒２４から離れる方向に流れているが、熱交換部２７を通過した時に外筒２４の中心に向かって引っぱられるので、結果として真っ直ぐになって吹き出し口２から吹き出すものである。
【００４３】
又、左遮熱板３４寄りに流れる空気も熱交換器２６の左端の熱交換部２７寄りに流れる空気の影響で外筒２４から離れる方向に流れているが、熱交換部２７よりも前方の位置まで流れると外筒２４の中心に向かって引っぱられるので、結果として真っ直ぐになって吹き出し口２から吹き出すものである。
【００４４】
以上のように、バーナ部２３の燃焼ガスを排気ガスとして導く縦長の外筒２４に近接する左遮熱板３４又は右遮熱板３５に送風案内板４７を設けたので、対流ファン３１から左遮熱板３４又は右遮熱板３５寄りに流れる空気が、送風案内板４７に当たって外筒２４方向に案内されて外筒２４に向かって流れ、それにより外筒２４が充分冷却されて燃焼ガスの排気温度が高温になるのを防止できるものである。
【００４５】
又、前記外筒２４下部に点火プラグ４４と着火を検知するフレームロッド４５とを備えた電極組み４３を設け、前記送風案内板４７は、上方が背面板１４に近づくように傾斜して設けると共に、前記送風案内板４７の下端は電極組み４３の近傍に位置するように設けたので、対流ファン３１から左遮熱板３４又は右遮熱板３５寄りに流れる空気が、送風案内板４７に当たって外筒２４方向に案内されて外筒２４に向かって流れ、それにより外筒２４が充分冷却されることで、外筒２４内に先端が位置している電極組み４３の点火プラグ４４と着火を検知するフレームロッド４５が高温になるのを防止できるものである。
【００４６】
又、送風案内板４７の案内部４９に当たった空気の一部は、送風案内板４７の案内部４９の傾斜に沿って下降して電極組み４３に当たることで電極組み４３を冷却し、それにより電極組み４３の点火プラグ４４と着火を検知するフレームロッド４５が高温になるのを防止できるものである。
【００４７】
又、前記燃焼室３２には対流ファン３１から送風される空気が通過する通気口３６が上部に形成された背面遮熱板３７が設けられ、該背面遮熱板３７の下部に電極組み用通風口４６を形成し、更に該電極組み用通風口４６を電極組み４３と略同じ高さに形成し、更に開口部分の高さは電極組み４３の高さ寸法と略同じに形成したので、対流ファン３１からの送風が、電極組み用通風口４６を通過して、直進すると外筒２４の電極組み４３に当たり、それにより更に電極組み４３を冷却できるものである。
【００４８】
又、電極組み４３を、外筒２４の真正面の位置よりも熱交換器２６から離れる方向にやや斜めの位置、つまり外筒２４の右側と右遮熱板３５との間に向かって斜めに設けているので、背面遮熱板３７に形成された電極組み用通風口４６を通過した空気は、直進するとその電極組み４３に当たり、更に電極組み４３を冷却できるものである。
【符号の説明】
【００４９】
１  温風暖房機本体
２  吹き出し口
９  下皿
１０  前面パネル
１１  右側面板
１２  左側面板
１３  天板
１４  背面板
２３  バーナ部
２４  外筒
２５  排気室
２６  熱交換器
３１  対流ファン
３２  燃焼室
３３  上部遮熱板
３４  左遮熱板
３５  右遮熱板
４７  送風案内板
【図１】
2019158279.tif 000003
【図２】
2019158279.tif 000004
【図３】
2019158279.tif 000005
【図４】
2019158279.tif 000006
【図５】
2019158279.tif 000007
【図６】
2019158279.tif 000008